(57)【要約】  【課題】  光ヘッドの小型化および光ヘッド構成の単純化を図るとともに、製造コストを削減することにある。  【解決手段】  対物レンズ１０において、所定の開口数が設定された対物レンズ基体１０ａのレンズ面の一部に、光の波長によりその光を透過し、または透過しない光学薄膜１０ｂが形成されている。  【選択図】  図２
2006012368.tif 000002
【特許請求の範囲】
【請求項１】
所定の開口数が設定されたレンズ基体と、
前記レンズ基体のレンズ面の一部に形成され、光の波長により当該光を透過し、または透過しない光学薄膜と
を備えたことを特徴とする対物レンズ。
【請求項２】
前記光学薄膜は、所定の波長よりも長い波長の光を透過しないことを特徴とする請求項１記載の対物レンズ。
【請求項３】
前記光学薄膜は、前記レンズ基体の光源側のレンズ面であって、当該レンズ面の外縁部に光軸を中心とした円環状に形成されたことを特徴とする請求項１記載の対物レンズ。
【請求項４】
前記光学薄膜は、異なる光透過特性を有する複数から構成されたことを特徴とする請求項１記載の対物レンズ。
【請求項５】
所定の開口数が設定されたレンズ基体と、
前記レンズ基体のレンズ面の一部に形成され、所定の波長以下の波長の光の透過率が高く、当該所定の波長よりも長い波長の光の透過率が低い光学薄膜と
を備えたことを特徴とする対物レンズ。
【請求項６】
前記光学薄膜は、所定の波長よりも長い波長の光が入射された場合に、開口数を前記レンズ基体に設定された開口数とは異なる開口数に設定することを特徴とする請求項５記載の対物レンズ。
【請求項７】
前記光学薄膜は、前記所定の波長の光の透過率が９５％以上であることを特徴とする請求項５記載の対物レンズ。
【請求項８】
前記光学薄膜は、前記所定の波長よりも長い波長の光の透過率が５％以下であることを特徴とする請求項５記載の対物レンズ。
【請求項９】
規格の異なる光ディスクに対して光を出射し、当該光ディスクからの反射光を入射する光ヘッドであって、
異なる波長の光を出射する複数の光源と、
前記光源から出射された光を前記光ディスクに集光させる対物レンズとを備え、
前記対物レンズは、レンズ面の外縁部に、前記複数の光源のうちの少なくとも１の光源から出射される光に対する透過率が高く、当該複数の光源のうちの少なくとも１の光源からの光に対する透過率が低い光学薄膜が形成されたことを特徴とする光ヘッド。
【請求項１０】
前記対物レンズの前記光学薄膜は、光軸を中心とした円環状に形成されたことを特徴とする請求項９記載の光ヘッド。
【請求項１１】
前記対物レンズの前記光学薄膜は、前記光源側のレンズ面に形成されたことを特徴とする請求項９記載の光ヘッド。
【請求項１２】
前記対物レンズの前記光学薄膜は、前記複数の光源のうちの少なくとも１の光源から出射される光に対する透過率が９５％以上であり、当該複数の光源のうちの少なくとも１の光源から出射される光に対する透過率が５％以下であることを特徴とする請求項９記載の光ヘッド。
【請求項１３】
前記複数の光源は、ＤＶＤ用の光源と、ＣＤ用の光源とを含むことを特徴とする請求項９記載の光ヘッド。
【請求項１４】
規格の異なる光ディスクに対して記録または／および再生を行なう光ディスク装置であって、
異なる波長の光を出射する複数の光源と、
前記光源から出射された光を前記光ディスクに集光させる対物レンズとを備え、
前記対物レンズは、レンズ面の外縁部に、前記複数の光源のうちの少なくとも１の光源から出射される光に対する透過率が高く、当該複数の光源のうちの少なくとも１の光源からの光に対する透過率が低い光学薄膜が形成されたことを特徴とする光ディスク装置。
【発明の詳細な説明】
【技術分野】
【０００１】
本発明は、ＣＤやＤＶＤ等の規格の異なる光記録媒体に対応できる互換型の光ディスク装置、またはこれに用いられる対物レンズ等に関する。
【背景技術】
【０００２】
近年、ＣＤ（Compact Disc）やＤＶＤ（Digital Versatile Disc）、Ｂｌｕ−ｒａｙ Ｄｉｓｋ等の規格の異なる光記録媒体に対して、記録・再生を行なうことができる互換型光ディスク装置が提案され、実用化されている。かかる互換型光ディスク装置では、ＣＤやＤＶＤ等（以下、光ディスクという。）がいずれも透明基板の一方の面に情報記録面が設けられていることから、このような光ディスクから情報信号を再生する場合には、光源から照射されたレーザ光を、透明基板を介して光ディスクの情報記録面に集光させる必要がある。
ところが、ＣＤとＤＶＤとでは記録密度の相違により使用されるレーザ光の波長が異なっている。また、透明基板の厚さも、使用されるレーザ光の波長の違いに対応させて、ＣＤでは１．２ｍｍ、ＤＶＤでは０．６ｍｍと異なって構成されている。そのため、このような規格の異なる光ディスクを再生する光ディスク装置の光ヘッドでは、光ディスクの情報記録面にレーザ光を集光させる対物レンズにおいて、波長の異なるレーザ光に応じた開口数（ＮＡ）の切替えが必要となる。
【０００３】
ここで、光ヘッドに用いられる対物レンズにおける開口数の切替えを行なう技術として、光源と対物レンズとの間の光路中に開口制限素子を配置する技術が存在する（例えば、特許文献１参照）。このような開口制限素子は、透明基板上にＤＶＤ用の波長のレーザ光は透過するが、ＣＤ用の波長のレーザ光は反射する性質を有する誘電体多層膜を形成したものや、回折格子を利用したもの等であり、ＣＤおよびＤＶＤの記録・再生時における対物レンズの開口数の切替えを可能としている。それにより、規格の異なる光ディスクに対しても、同一の対物レンズを用いてそれぞれ波長の異なるレーザ光を各光ディスクの情報記録面に集光させることができる。
しかし、開口制限素子を設けることにより、それに付帯する機構も配設する必要が生じることから、光ディスク装置に配設される光ヘッドの大型化や、光ヘッドの構成の複雑化を招くこととなる。また、開口制限素子の配置位置に関する位置決め精度を高める必要があることも加わって、製造コストも高価なものになるという不都合もある。
【０００４】
そこで、光ヘッドにおいて開口制限素子を用いずに対物レンズの開口数を切り替える技術が提案されている。具体的には、レーザ光の入射角に応じて光学多層膜の透過波長帯が変化する性質を利用し、かかる光学多層膜をレンズの一面に形成し、第１の波長はレンズ全面を透過するが、第１の波長よりも長い第２の波長のレーザ光はレンズの所望領域を通過するようにレンズ面の曲率を設定した技術が存在する（例えば、特許文献２参照）。かかる技術では、開口制限素子を用いずに、同一の対物レンズを用いてそれぞれ波長の異なるレーザ光を各光ディスクの情報記録面に集光させることができる。
【０００５】
【特許文献１】特開２００１−３３１９６２号公報(第２−４頁)
【特許文献２】特開２００１−３３０７７０号公報(第３−５頁)
【発明の開示】
【発明が解決しようとする課題】
【０００６】
ところで、光ディスク装置では、光ディスクの記録・再生の安定性を確保するために、光ヘッドにおいて良好な光スポットを形成する必要がある。そのために、光ヘッドに設けられる対物レンズの曲率や非球面係数は、収差の発生を極力抑えるように設定する必要がある。
しかしながら、上記した特許文献２に記載された技術のように、対物レンズ自体に開口制限機能を持たせるように対物レンズのレンズ面の曲率を設定した場合には、収差の低減が不充分となる。そのために、光ディスクの情報記録面において良好な光スポットを形成することができず、光ディスクに対する記録・再生の安定性を確保することが難しいという問題があった。
【０００７】
そこで本発明は、以上のような技術的課題を解決するためになされたものであり、その目的とするところは、規格の異なる光記録媒体に対応できる互換型の光ディスク装置において、光ヘッドの小型化および光ヘッド構成の単純化を図るとともに、製造コストを削減することにある。
また、他の目的は、異なる規格の光ディスクのいずれに対しても、記録・再生の安定性を確保することにある。
【課題を解決するための手段】
【０００８】
かかる目的のもと、本発明の対物レンズは、所定の開口数が設定されたレンズ基体と、レンズ基体のレンズ面の一部に形成され、光の波長によりその光を透過し、または透過しない光学薄膜とを備えたことを特徴としている。このような構成により、対物レンズにおいて、波長の異なる光ごとに開口数を設定することが可能となる。その際に、レンズ面の曲率を調整する必要がないので、レンズ面の曲率を収差が発生しないような最適な設定とすることができる。それにより、良好な光スポットを形成でき、光ディスクに対する記録・再生の安定性を改善することが可能となる。
【０００９】
ここで、光学薄膜は、所定の波長よりも長い波長の光を透過しないことを特徴とすることができる。これにより、所定の波長よりも長い波長の光の透過領域を制限し、かかる波長の光に関する開口数を容易に設定することができる。
また、光学薄膜は、レンズ基体の光源側のレンズ面であって、このレンズ面の外縁部に光軸を中心とした円環状に形成することができる。これにより、開口数を容易に設定することができる。
さらに、光学薄膜は、異なる光透過特性を有する複数から構成することもできる。これにより、３つ以上の異なる波長の光に対して、それぞれ開口数を設定することが可能となる。
【００１０】
また、本発明の対物レンズは、所定の開口数が設定されたレンズ基体と、レンズ基体のレンズ面の一部に形成され、所定の波長以下の波長の光の透過率が高く、この所定の波長よりも長い波長の光の透過率が低い光学薄膜とを備えたことを特徴としている。このような構成により、対物レンズにおいて、波長の異なる光ごとに開口数を設定することが可能となる。その際に、レンズ面の曲率を調整する必要がないので、レンズ面の曲率を収差が発生しないような最適な設定とすることができる。それにより、良好な光スポットを形成でき、光ディスクに対する記録・再生の安定性を改善することが可能となる。
【００１１】
ここで、光学薄膜は、所定の波長よりも長い波長の光が入射された場合に、開口数をレンズ基体に設定された開口数とは異なる開口数に設定することを特徴とすることができる。これにより、所定の波長よりも長い波長の光に関して開口数を変更することができる。
また、光学薄膜は、所定の波長の光の透過率が９５％以上であることが好ましい。これにより、光強度を確保して、光ディスクに対する記録・再生の安定性を確保することができる。
さらには、光学薄膜は、所定の波長よりも長い波長の光の透過率が５％以下であることが好ましい。これにより、光ディスクの情報記録面への不要な光の集光を防ぐことができる。
【００１２】
さらに、本発明を光ヘッドとして捉え、本発明の光ヘッドは、規格の異なる光ディスクに対して光を出射し、この光ディスクからの反射光を入射する光ヘッドであって、異なる波長の光を出射する複数の光源と、光源から出射された光を光ディスクに集光させる対物レンズとを備え、対物レンズは、レンズ面の外縁部に、複数の光源のうちの少なくとも１の光源から出射される光に対する透過率が高く、複数の光源のうちの少なくとも１の光源からの光に対する透過率が低い光学薄膜が形成されたことを特徴としている。これにより、規格の異なるＤＶＤやＣＤのような光ディスクでも、各々の光ディスクに応じた開口数で光を集光でき、記録・再生の安定化を図ることができる。その際に、開口制限素子のような部品を別途設けることがないので、光ヘッドの小型化および光ヘッド構成の単純化を図るとともに、製造コストを削減することができる。
【００１３】
ここで、対物レンズの光学薄膜は、光軸を中心とした円環状に形成することができる。これにより、開口数を容易に設定することができる。
また、対物レンズの光学薄膜は、光源側のレンズ面に形成されたことを特徴とすることができる。これにより、開口数を容易に設定することができる。
さらに、対物レンズの光学薄膜は、複数の光源のうちの少なくとも１の光源から出射される光に対する透過率が９５％以上であり、複数の光源のうちの少なくとも１の光源から出射される光に対する透過率が５％以下であることが好ましい。これにより、光強度を確保して、光ディスクに対する記録・再生の安定性を確保するとともに、光ディスクの情報記録面への不要な光の集光を防ぐことができる。
また、複数の光源は、ＤＶＤ用の光源と、ＣＤ用の光源とを含むことを特徴とすることもできる。少なくともＤＶＤおよびＣＤに対して、記録・再生の安定性を確保することができる。
【００１４】
さらに、本発明を光ディスク装置として捉え、本発明の光ディスク装置は、規格の異なる光ディスクに対して記録または／および再生を行なう光ディスク装置であって、異なる波長の光を出射する複数の光源と、光源から出射された光を光ディスクに集光させる対物レンズとを備え、対物レンズは、レンズ面の外縁部に、複数の光源のうちの少なくとも１の光源から出射される光に対する透過率が高く、複数の光源のうちの少なくとも１の光源からの光に対する透過率が低い光学薄膜が形成されたことを特徴としている。これにより、規格の異なるＤＶＤやＣＤのような光ディスクでも、各々の光ディスクに応じた開口数で光を集光でき、記録・再生の安定化を図ることができる。その際に、開口制限素子のような部品を別途設けることがないので、光ディスク装置内の光ヘッドの小型化および光ヘッド構成の単純化を図るとともに、製造コストを削減することができる。
【発明の効果】
【００１５】
本発明の効果として、光ディスク装置において、光ヘッドの小型化および光ヘッド構成の単純化を図るとともに、製造コストを削減することが可能となる。また、異なる規格の光ディスクのいずれに対しても、記録・再生の安定性を確保することも可能となる。
【発明を実施するための最良の形態】
【００１６】
以下、添付図面を参照して、本発明の実施の形態について詳細に説明する。
図１は、本実施の形態が適用される光ディスク装置を示した構成図である。図１に示す光ディスク装置は、光ディスクに対する記録・再生を行なう光ヘッド１、光ヘッド１内に配置されたアクチュエータ１９の駆動を制御するアクチュエータ駆動回路２０、光ヘッド１内に配置された光検出器１７からの信号を処理する信号処理回路２１、光ヘッド１内に配置されたＤＶＤレーザ１１およびＣＤレーザ１２の点灯を制御するレーザ駆動回路２２、光ディスク装置全体を制御するシステム制御回路２３、装着された光ディスクの種類を判別するディスク判別回路２４により主要部が構成されている。
【００１７】
ここで、光ヘッド１は、光ディスクの情報記録面にレーザ光を集光する対物レンズ１０、波長６５０ｎｍのレーザ光を発生するＤＶＤレーザ１１、波長７９０ｎｍのレーザ光を発生するＣＤレーザ１２、レーザ光を透過・反射する第１ハーフプリズム１３と第２ハーフプリズム１４、レーザ光を平行光にするコリメータレンズ１５、光ディスクからの戻り光を集光する検出レンズ１６、光ディスクからの戻り光を検出する光検出器１７、レーザ光を０次光と±１次光の３ビームに分岐する回折格子１８、対物レンズ１０を駆動するアクチュエータ１９により構成されている。
なお、本実施の形態の光ディスク装置では、光ディスクとして厚さ０．６ｍｍのＤＶＤ（Digital Versatile Disc）ディスク２や厚さ１．２ｍｍのＣＤ（Compact Disc）ディスク３が記録・再生される。
【００１８】
本実施の形態の光ディスク装置においては、まず、ディスク判別回路２４によって装着された光ディスクの種類が判別される。そのディスク判別方法としては、光ディスクの基板の厚さを光学的もしくは機械的な方法で検出する方法、光ディスクまたは光ディスクのカートリッジに予め記録された識別マークを検出する方法等が用いられる。さらには、光ディスクの厚さ、種類を仮定して、光ディスクの信号を再生し、正常な信号が得られなければ、別の厚さ、種類の光ディスクであると判断する方法を用いることもできる。ディスク判別回路２４により光ディスクの種類が判別された結果は、ディスク判別回路２４からシステム制御回路２３に伝達される。
【００１９】
ディスク判別回路２４により、装着された光ディスクがＤＶＤディスク２であると判別された場合には、システム制御回路２３よりレーザ駆動回路２２に対してＤＶＤレーザ１１を点灯させるような信号が伝達され、レーザ駆動回路２２によりＤＶＤレーザ１１が駆動される。ＤＶＤレーザ１１から照射される波長６５０ｎｍのレーザ光は、第１ハーフプリズム１３で反射され、第２ハーフプリズム１４を透過してコリメータレンズ１５に入射する。コリメータレンズ１５を通過して平行光となったレーザ光は、対物レンズ１０に入射して集光され、ＤＶＤディスク２の情報記録面に光スポットを形成する。
【００２０】
そして、ＤＶＤディスク２で反射された反射光は、ＤＶＤディスク２に記録された情報に応じた信号が含まれるレーザ光である。そして、この反射光は対物レンズ１０により平行光となり、コリメータレンズ１５に入射する。コリメータレンズ１５はこの平行光を収束光にして、この収束光は第２ハーフプリズム１４および第１ハーフプリズム１３を透過し、さらには検出レンズ１６を通って、光検出器１７に到達する。光検出器１７によって検出された信号は、信号処理回路２１に送信され、情報記録再生信号やフォーカス誤差信号、さらにはトラッキング誤差信号が得られる。そしてシステム制御回路２３は、得られたフォーカス誤差信号とトラッキング誤差信号を基にして、適正なフォーカス位置とトラッキング位置に対物レンズ１０が位置するように、アクチュエータ駆動回路２０を制御してアクチュエータ１９を駆動している。
【００２１】
一方、ディスク判別回路２４により、装着された光ディスクがＣＤディスク３であると判別された場合には、システム制御回路２３よりレーザ駆動回路２２に対してＣＤレーザ１２を点灯させるような信号が伝達され、レーザ駆動回路２２によりＣＤレーザ１２が駆動される。ＣＤレーザ１２から発生される波長７９０ｎｍのレーザ光は回折格子１８を通過し、第２ハーフプリズム１４で反射されてコリメータレンズ１５に入射する。コリメータレンズ１５を通過して平行光となったレーザ光は、対物レンズ１０に入射して集光され、ＣＤディスク３の情報記録面に光スポットを形成する。
そして、ＣＤディスク３で反射された反射光は、ＣＤディスク３に記録された情報に応じた信号が含まれるレーザ光である。そして、この反射光は対物レンズ１０により平行光となり、コリメータレンズ１５に入射する。コリメータレンズ１５はこの平行光を収束光にし、この収束光は第２ハーフプリズム１４および第１ハーフプリズム１３を透過し、検出レンズ１６を通って光検出器１７に到達する。光検出器１７によって検出された信号は、信号処理回路２１に送信され、情報記録再生信号やフォーカス誤差信号、さらにはトラッキング誤差信号が得られる。
【００２２】
なお、ＣＤディスク３の場合のトラッキング誤差信号は、ＣＤレーザ１２からのレーザ光を、回折格子１８により０次光と±１次光の３ビームに分岐し、これら±１次光によりトラッキング誤差信号を得るようにしている。
このようにして得られたトラッキング誤差信号とフォーカス誤差信号とにより、ＤＶＤディスク２と同様にして、適正なフォーカス位置とトラッキング位置に対物レンズ１０が位置するように、アクチュエータ駆動回路２０を制御してアクチュエータ１９を駆動している。
【００２３】
ところで、本実施の形態の光ディスク装置では、コリメータレンズ１５を配設した構成としているが、かかるコリメータレンズ１５は必ずしも必要ではなく、所謂有限系の光学系を用いた構成を適用することも可能である。
【００２４】
続いて、光ヘッド１に配置される対物レンズ１０の構成について説明する。
図２は、本実施の形態の対物レンズ１０の構成を示した図であり、（ａ）は正面図、（ｂ）はＸＸ断面図である。本実施の形態の対物レンズ１０は、対物レンズ基体１０ａがＤＶＤ用に開口数（ＮＡ）０．６５で設計されている。そして、図２に示したように、対物レンズ基体１０ａの光源側のレンズ面上であって、レンズ面の外縁部側の領域において、光軸を中心とした円環状に成膜された光学薄膜１０ｂが形成されている。この光学薄膜１０ｂは、波長６５０ｎｍのレーザ光は透過するが波長７９０ｎｍのレーザ光は反射するような波長選択性を有するように構成されている。したがって、光学薄膜１０ｂが形成された円環状のフィルタ領域Ａでは、波長６５０ｎｍのレーザ光だけを透過することができる。また、フィルタ領域Ａの内側となる光軸を中心とした円状の共通領域Ｂでは、波長６５０ｎｍおよび波長７９０ｎｍの両方のレーザ光を透過することができる。そして、光学薄膜１０ｂが形成されたフィルタ領域Ａは、その内側に形成される共通領域Ｂの大きさによって、ＣＤ用の波長７９０ｎｍのレーザ光が用いられる際には、対物レンズ１０がＣＤ用の開口数０．４５程度となるように設定されている。ここで、光学薄膜１０ｂを光源側のレンズ面上に形成するのは、波長７９０ｎｍのレーザ光の透過を制限するフィルタ領域Ａの設定を容易にするためである。
【００２５】
すなわち、光学薄膜１０ｂが形成された対物レンズ１０は、ＤＶＤ用の波長６５０ｎｍのレーザ光が通過する際には、レーザ光はフィルタ領域Ａを含めたレンズ面の全面を通過することができるので、対物レンズ基体１０ａの元々の設計値であるＤＶＤ用の開口数０．６５として機能する。これに対し、ＣＤ用の波長７９０ｎｍのレーザ光が用いられる際には、レーザ光は共通領域Ｂのみを通過することができるだけであるので、対物レンズ１０はＣＤ用の開口数０．４５として機能することとなる。このように、本実施の形態の対物レンズ１０では、波長６５０ｎｍのレーザ光と波長７９０ｎｍのレーザ光とで透過可能な領域が異なることで、それぞれのレーザ光に対する対物レンズ１０の開口数を切り替えることが可能となる。
【００２６】
ここで、対物レンズ１０のレンズ面に形成される光学薄膜１０ｂの構成について述べる。
光学薄膜１０ｂは、対物レンズ１０の光源側のレンズ面の表面に、例えば、ＳｉＯ２等の比較的屈折率の小さな材料と、Ｔｉ２Ｏ５等の比較的屈折率の大きな材料とを交互に３６層積層するようにスパッタリングして形成されている。図３は、光学薄膜１０ｂの構成の一例として、各層の屈折率と層厚とをそれぞれ示した図である。
また、図３に示した構成の光学薄膜１０ｂの透過率を図４に示した。図４に示すように、本実施の形態の対物レンズ１０に形成される光学薄膜１０ｂにおいては、ＣＤ用の波長７９０ｎｍのレーザ光を殆ど透過せず、ＤＶＤ用の波長６５０ｎｍのレーザ光は殆ど透過することができるように構成することができる。その場合に、光学薄膜１０ｂでは、ＤＶＤ用の波長６５０ｎｍのレーザ光に対する透過率は、光強度を確保するために９５％以上であることが好ましい。また、ＣＤ用の波長７９０ｎｍのレーザ光に対しての透過率は、ＣＤディスク３の情報記録面への不要な光の集光を防ぐため、５％以下であることが好ましい。なお、図３に示した構成の光学薄膜１０ｂは、この透過率に関する条件を満たしたものである。
【００２７】
また、光学薄膜１０ｂの形成方法としては、本実施の形態の対物レンズ１０では、光学薄膜１０ｂを、光源側レンズ面の外縁部側の領域で光軸を中心とした円環状に形成するために、まず、波長７９０ｎｍのレーザ光を透過する領域となる共通領域Ｂを、光軸を中心とした円状にマスキングする。その後、対物レンズ１０に対して、イオンビームスパッタリング装置によってスパッタリングを行なう。なお、光学薄膜１０ｂの形成は、イオンアシスト蒸着、ＣＶＤ（Chemical Vapor Deposition）によっても可能である。
【００２８】
このように、対物レンズ１０の光源側のレンズ面上であって、レンズ面の外縁部側の領域に、光軸を中心として円環状に成膜された光学薄膜１０ｂが形成されることで、対物レンズ１０の開口数を、ＤＶＤ用のＮＡＤＶＤ＝０．６５と、ＣＤ用のＮＡＣＤ＝０．４５とに切り替えることが可能となる。それにより、図５に示したように、レーザ駆動回路２２によりＤＶＤレーザ１１が駆動される場合には、波長６５０ｎｍのレーザ光が対物レンズ１０を通過する際に、光学薄膜１０ｂによる反射を殆ど受けず対物レンズ１０のレンズ面の全面を通過することができるので、波長６５０ｎｍのレーザ光は開口数制御されない状態で透過する。そのため、対物レンズ１０は開口数０．６５として機能してレーザ光を集光し、厚さ０．６ｍｍのＤＶＤディスク２の情報記録面に介して良好な光スポットを形成することができる。なお、この場合の開口数ＮＡＤＶＤは、対物レンズ１０の最外周部からＤＶＤの情報記録面を見込む角度（見込角）をαとして、ＮＡＤＶＤ＝ｎ・ｓｉｎαである（屈折率ｎ＝１）。
【００２９】
また、レーザ駆動回路２２によりＣＤレーザ１２が駆動される場合には、波長７９０ｎｍのレーザ光が対物レンズ１０を通過する際に、光学薄膜１０ｂにより反射されることで開口数制御が行われ、波長７９０ｎｍのレーザ光は円状の共通領域Ｂのみを透過する。そのため、対物レンズ１０は開口数０．４５として機能してレーザ光を集光し、厚さ１．２ｍｍのＣＤディスク３の情報記録面に対しても、良好な光スポットを形成することができる。なお、この場合の開口数ＮＡＤＶＤは、対物レンズ１０の共通領域Ｂでの最外周部からＣＤの情報記録面を見込む見込角をβとして、ＮＡＣＤ＝ｎ・ｓｉｎβである。
【００３０】
以上説明したように、本実施の形態の光ディスク装置において、光ヘッド１に用いられる対物レンズ１０の光源側のレンズ面上であって、レンズ面の外縁部側の領域に、光軸を中心として円環状に成膜された光学薄膜１０ｂが形成されることで、波長６５０ｎｍのレーザ光と波長７９０ｎｍのレーザ光とに対して、対物レンズ１０の開口数を切り替えることが可能となる。そのため、開口制限素子や、それに付帯する機構を配設する必要がないので、光ヘッド１の小型化や、光ヘッド１の構成の単純化を図るとともに、製造コストを削減することが可能となる。また、対物レンズ１０のレンズ面の曲率は、収差を極力抑えるように最適に設定することができるので、ＤＶＤディスク２やＣＤディスク３のいずれの光ディスクの情報記録面においても良好な光スポットを形成でき、記録・再生の安定化を図ることも可能となる。
【００３１】
なお、本実施の形態の光ディスク装置では、光ディスクとして、波長６５０ｎｍのレーザ光が用いられるＤＶＤディスク２と、波長７９０ｎｍのレーザ光が用いられるＣＤディスク３に対する記録・再生を行なう構成について説明したが、他の波長のレーザ光等の光が用いられる光ディスクに対しても適用することが可能である。
さらには、本実施の形態の光ヘッド１に用いられる対物レンズ１０に、異なる光透過特性を有する光学薄膜１０ｂを多層に形成することで、３つ以上の波長の光に対して、対物レンズ１０の開口数を切り替える機能を有するように構成することも可能である。したがって、例えば３波長互換型の光ディスク装置を実現することもできる。
【産業上の利用可能性】
【００３２】
本発明の活用例として、ＣＤやＤＶＤ、Ｂｌｕ−ｒａｙ Ｄｉｓｋ等の規格の異なる光記録媒体に対して記録・再生を行うことができる互換型の光ディスク装置への適用がある。
【図面の簡単な説明】
【００３３】
【図１】本実施の形態の光ディスク装置を示した構成図である。
【図２】対物レンズの構成を示した図であり、（ａ）は正面図、（ｂ）はＸＸ断面図である。
【図３】光学薄膜の各層の屈折率と層厚とを示した図である。
【図４】光学薄膜の透過率を示した図である。
【図５】レーザ光が光ディスクの情報記録面に集光される状態を示した図である。
【符号の説明】
【００３４】
１…光ヘッド、２…ＤＶＤディスク、３…ＣＤディスク、１０…対物レンズ、１０ａ…対物レンズ基体、１０ｂ…光学薄膜、１１…ＤＶＤレーザ、１２…ＣＤレーザ、１３…第１ハーフプリズム、１４…第２ハーフプリズム、１５…コリメータレンズ、１６…検出レンズ、１７…光検出器、１８…回折格子、１９…アクチュエータ、２０…アクチュエータ駆動回路、２１…信号処理回路、２２…レーザ駆動回路、２３…システム制御回路、２４…ディスク判別回路
【図１】
2006012368.tif 000003
【図２】
2006012368.tif 000004
【図３】
2006012368.tif 000005
【図４】
2006012368.tif 000006
【図５】
2006012368.tif 000007